(57)【要約】【課題】従来、異なる再生機器を対象とした記録において、常に複数のストリームを記録するため、必要な記録容量が大きくなるという課題があった。【解決手段】１種類以上の再生機器の再生能力情報を登録した機器再生能力情報リスト１０２と、主ストリーム記録時の記録品質要求を登録した主記録設定１０３とを用意する。主エンコード設定決定部１０４は、機器再生能力情報リスト１０２から主記録設定１０３で記録したストリームを再生可能な機器の情報と再生不可の機器の情報とを抽出し、抽出した再生可能な機器情報と主記録設定１０３とから主エンコード設定１０９を決定し、再生不可の機器がある場合のみ再生不可の機器情報１１２を出力し、かつ副エンコード動作を指示する。一方、副エンコード設定決定部１１３は、主エンコード設定決定部１０４が抽出した再生不可の機器情報１１２から副エンコード設定１１６を決定する。【選択図】図１
2010171873.tif 000002
【特許請求の範囲】
【請求項１】
１種類以上の再生機器の再生能力情報を登録した機器再生能力情報リストと、
主ストリーム記録時の記録品質要求を登録した主記録設定と、
前記機器再生能力情報リストから前記主記録設定で記録したストリームを再生可能な機器の情報と再生不可の機器の情報とを抽出し、前記抽出した再生可能な機器情報と前記主記録設定とから主エンコード設定を決定し、再生不可の機器がある場合のみ再生不可の機器情報を出力し、かつ副エンコード動作を指示する主エンコード設定決定部と、
入力した映像データを前記主エンコード設定に従ってエンコードして、主ストリームとして出力する主エンコード部と、
前記主エンコード設定決定部が抽出した再生不可の機器情報から副エンコード設定を決定する副エンコード設定決定部と、
前記入力した映像データを前記副エンコード設定と前記副エンコード動作指示とに従ってエンコードして、副ストリームとして出力する副エンコード部とを備えたことを特徴とする映像記録装置。
【請求項２】
請求項１記載の映像記録装置において、
前記機器再生能力情報リストの更新をするための手段を更に備えたことを特徴とする映像記録装置。
【請求項３】
請求項１記載の映像記録装置において、
前記主エンコード設定決定部は、前記主エンコード設定が複数のエンコードパラメータから構成される場合に、前記主記録設定から決まるエンコードパラメータ以外のパラメータについては、前記抽出された再生可能な機器情報から各機器が再生可能な前記パラメータの範囲を導出し、前記各機器のパラメータの範囲から共通範囲を導出し、前記共通範囲内に含まれるエンコードパラメータ値を導出し、前記エンコードパラメータ値を含む主エンコード設定を出力する機能を有することを特徴とする映像記録装置。
【請求項４】
請求項３記載の映像記録装置において、
前記主エンコード設定決定部は、前記共通範囲が見つからない場合には、抽出された機器情報の一部を除外することで、共通の再生能力条件範囲を導出する機能を有することを特徴とする映像記録装置。
【請求項５】
１種類以上の再生機器の再生能力情報を登録した機器再生能力情報リストと、主ストリーム記録時の記録品質要求を登録した主記録設定とを用いた映像記録方法であって、
前記機器再生能力情報リストから前記主記録設定で記録したストリームを再生可能な機器の情報と再生不可の機器の情報とを抽出し、前記抽出した再生可能な機器情報と前記主記録設定とから主エンコード設定を決定し、再生不可の機器がある場合のみ再生不可の機器情報を出力し、かつ副エンコード動作を指示する主エンコード設定決定ステップと、
入力した映像データを前記主エンコード設定に従ってエンコードして、主ストリームとして出力する主エンコードステップと、
前記主エンコード設定決定ステップにより抽出した再生不可の機器情報から副エンコード設定を決定する副エンコード設定決定ステップと、
前記入力した映像データを前記副エンコード設定と前記副エンコード動作指示とに従ってエンコードして、副ストリームとして出力する副エンコードステップとを備えたことを特徴とする映像記録方法。
【請求項６】
請求項５記載の映像記録方法の処理をコンピュータにより行うためのプログラムを格納した記憶媒体。
【発明の詳細な説明】
【技術分野】
【０００１】
本発明は、異なる再生機器での再生を考慮した映像記録を行う映像記録装置に関するものである。
【背景技術】
【０００２】
近年、レコーダ、ＴＶ、携帯電話等の様々な機器で映像データを記録・再生できるようになってきている。これらの機器の間で、記録した映像データをやり取りすることができれば利用者の利便性を増すことができる。ただし、現在、音声・映像ともに複数種類のコーデックが存在し、再生機器毎に再生可能なコーデックの種類も異なる。このような再生能力が異なる再生機器間での再生を行うため、従来の映像記録装置において、異なるコーデックによる複数のストリームを１つの記録媒体に格納する方法（例えば、特許文献１参照）や、別の再生機器へのストリーム転送時に再生機器に応じてコーデックのフォーマット変換を行う方法が提案されてきた。
【０００３】
図３は、異なるコーデックによる複数のストリームを１つの記録媒体に格納する、従来の映像記録装置を示したブロック図である。本装置の特徴は、各再生機器が対応するコーデックに応じた複数のストリームを記録媒体に格納しておくことで、多くの再生機器で再生可能な記録を行うことである。
【０００４】
映像記録装置３００は、入力端子１０１から映像データを入力し、符号化したストリームを記録媒体１１０に格納する。主記録設定１０３は、利用者等が指定・選択した記録設定である。
【０００５】
図４は、主記録設定１０３の例である。ここでは、画像サイズ、フレームレート、ビットレートの値が設定される。一般に設定値は、利用者が選択した記録モード（高画質記録モード／長時間記録モード等）や、入力画像のサイズ、フレームレート、走査方式（インターレース／プログレッシブ）等から決定される。主エンコード設定決定部３０１は、主記録設定１０３を使用して主エンコード設定１０９を決定する。
【０００６】
図５は、主エンコード設定１０９の例である。主エンコード設定１０９は、コーデックのエンコード処理に必要なパラメータ（エンコードパラメータと呼ぶ）の設定値を含む。映像のエンコードパラメータの例として、コーデック種別、プロファイル、画像サイズ、フレームレート、ビットレート、走査方式等がある。エンコードパラメータは、主記録設定１０３のパラメータから決定されるパラメータと、それ以外のパラメータとに分類される。図５の例では、画像サイズ、フレームレート、ビットレートは、主記録設定１０３から直接決定される。一方、コーデック種別、プロファイルは、主記録設定１０３によらず決定できる。
【０００７】
主エンコード部１０５は、入力端子１０１から供給された映像データのエンコードを主エンコード設定１０９に従って行い、その結果である主ストリーム１１１を記録媒体１１０に出力する。一方、副エンコード設定決定部３０２は、主記録設定１０３を使用して副エンコード設定１１６を決定する。副エンコード部１１７は、入力端子１０１から供給された同じ映像データのエンコードを副エンコード設定１１６に従って行い、その結果である副ストリーム１１８を記録媒体１１０に出力する。
【０００８】
ここで、例えば、主エンコード設定１０９には図５に示すようにコーデックとしてＭＰＥＧ−４  ＡＶＣを設定し、副エンコード設定１１６には図６に示すような異なるコーデック、例えばＭＰＥＧ−２を設定することにより、記録媒体１１０のデータを、ＭＰＥＧ−４  ＡＶＣのみ再生可能な機器と、ＭＰＥＧ−２のみ再生可能な機器との両方で再生することが可能となる。
【０００９】
本装置の特徴として、常に主ストリーム１１１と副ストリーム１１８とが記録媒体１１０に記録されることが挙げられる。
【特許文献１】特開２００３−２６４７９１号公報
【発明の開示】
【発明が解決しようとする課題】
【００１０】
しかしながら、従来の映像記録装置においては、常に複数のストリームを記録するため、必要な記録媒体の記録容量が大きくなるという課題があった。一方、再生機器へのストリーム転送時にフォーマット変換を行う方法は、フォーマット変換のための時間がかかるという課題があった。
【課題を解決するための手段】
【００１１】
本発明の映像記録装置は、１種類以上の再生機器の再生能力情報を登録した機器再生能力情報リストと、主ストリーム記録時の記録品質要求を登録した主記録設定と、前記機器再生能力情報リストから前記主記録設定で記録したストリームを再生可能な機器の情報と再生不可の機器の情報とを抽出し、前記抽出した再生可能な機器情報と前記主記録設定とから主エンコード設定を決定し、再生不可の機器がある場合のみ再生不可の機器情報を出力し、かつ副エンコード動作を指示する主エンコード設定決定部と、入力した映像データを前記主エンコード設定に従ってエンコードして、主ストリームとして出力する主エンコード部と、前記主エンコード設定決定部が抽出した再生不可の機器情報から副エンコード設定を決定する副エンコード設定決定部と、前記入力した映像データを前記副エンコード設定と前記副エンコード動作指示とに従ってエンコードして、副ストリームとして出力する副エンコード部とを備えたことを特徴とする映像記録装置である。
【発明の効果】
【００１２】
本発明の映像記録装置によれば、異なる再生機器を対象とした記録において、再生対象機器の能力に応じて必要なストリームのみ記録できるため、必要な記録容量を削減できる。また、フォーマット変換を行う必要もない。
【発明を実施するための最良の形態】
【００１３】
以下、映像記録装置等の実施形態について図面を参照して説明する。
【００１４】
図１は、本実施の形態における映像記録装置のブロック図である。図３の従来の映像記録装置と同じ符号を付した構成要素は同様の動作を行うとし、説明を省略する。
【００１５】
図１の映像記録装置１００は、入力端子１０１から映像データを入力し、符号化したストリームを記録媒体１１０に格納する。主エンコード設定決定部１０４は、主記録設定１０３に加えて機器再生能力情報リスト１０２を入力し、主エンコード設定１０９と再生不可機器リスト１１２とを出力する。また、主エンコード設定決定部１０４は、副エンコードの実行の要否を判断し、副エンコード部制御スイッチ１１５に対して指示を行う。
【００１６】
図７に、機器再生能力情報リスト１０２の例を示す。機器再生能力情報リスト１０２には、各再生対象機器が再生可能なストリームのエンコードパラメータの範囲（上限及び下限等）が格納される。例えば、再生可能なコーデック種別、プロファイル、最大画像サイズ、最大フレームレート、最大ビットレート等の情報が格納される。
【００１７】
図２は、主エンコード設定決定部１０４の処理フローを示すフローチャートである。ステップ２０１では、主記録設定１０３から決まるエンコードパラメータ値を導出し、機器再生能力情報リスト１０２から前記エンコードパラメータ値に対応可能な機器の情報を再生可能機器リストとして抽出し、それ以外を再生不可機器リスト１１２として抽出する。
【００１８】
主記録設定１０３が図８、機器再生能力情報リスト１０２が図７の場合を例として説明すると、主記録設定１０３から、エンコードパラメータ値として、画像サイズ１９２０×１０８０、フレームレート３０ｆｐｓ、ビットレート１０Ｍｂｐｓが導出される。機器再生能力情報リスト１０２から、前記エンコードパラメータ値のストリームを再生可能な機器はＡ、再生不可の機器はＢと判断できる。したがって、再生可能機器リストには機器Ａが含まれ、再生不可機器リスト１１２には機器Ｂが含まれることになる。
【００１９】
次に、主記録設定１０３が図４、機器再生能力情報リスト１０２が図７の場合を例として説明すると、主記録設定１０３から、エンコードパラメータ値として、画像サイズ１４４０×１０８０、フレームレート３０ｆｐｓ、ビットレート２０Ｍｂｐｓが導出される。この場合には、再生可能な機器はＡ，Ｂ、再生不可機器は「なし」と判断でき、再生可能機器リストには機器Ａ，Ｂが含まれ、再生不可機器リスト１１２は空になる。
【００２０】
ステップ２０２では、再生不可機器リスト１１２が空か判断を行い、空の場合にはステップ２０３へ、空でない場合にはステップ２０４に進む。
【００２１】
ステップ２０３では、主記録設定１０３から設定値が決まらないエンコードパラメータについて、再生可能機器リスト中の各機器が対応可能な値の範囲を導出し、更に全機器の共通範囲を導出する。
【００２２】
機器再生能力情報リスト１０２が図７の場合を例として説明すると、コーデック種別及びプロファイルは主記録設定１０３から決まらないエンコードパラメータである。主記録設定１０３が図４の場合には、再生可能機器リストには機器Ａ，Ｂが含まれるが、この中でコーデック種別の共通範囲はＭＰＥＧ−４  ＡＶＣ、プロファイルの共通範囲はＭａｉｎとなる。
【００２３】
一方、主記録設定１０３が図４で、機器再生能力情報リスト１０２が図１０の場合には、再生可能機器リストに機器Ａ，Ｃが含まれるが、この中でコーデック種別の共通範囲は存在しない。
【００２４】
次に、ステップ２０５で主記録設定１０３から決まらないエンコードパラメータ全てが共通範囲を持つか判断を行う。全てのエンコードパラメータが共通範囲を持つ場合には、ステップ２０７に進み、それ以外の場合にはステップ２０６に進む。上記のように主記録設定１０３が図４の場合にはステップ２０７に進み、機器再生能力情報リスト１０２が図１０の場合にはステップ２０６に進む。
【００２５】
ステップ２０６では、再生可能機器リストからエンコードパラメータの共通範囲を持たない機器を除外する。除外の方法の１つとして、共通範囲を持たないエンコードパラメータについて、再生可能な上限が低いものを除外する方法が挙げられる。機器再生能力情報リスト１０２が図１０の場合には、機器Ｃのコーデック種別において、ＭＰＥＧ−２がＭＰＥＧ−４  ＡＶＣより上限が低いものと判断し、機器Ｃを再生可能機器リストから除外する。
【００２６】
ステップ２０６を処理した後、ステップ２０４の副エンコード指示を行う。ステップ２０４の処理で、主エンコード設定決定部１０４は、副エンコード部制御スイッチ１１５を「副エンコード有」に切り替え、再生不可機器リスト１１２を出力する。
【００２７】
ステップ２０４の処理後は、ステップ２０７に進む。ステップ２０６が処理されない場合には、副エンコード部制御スイッチ１１５は「副エンコード無」とする。ステップ２０７では、ステップ２０３で導出したエンコードパラメータの共通範囲の上限をエンコードパラメータ設定値として、主エンコード設定１０９とする。
【００２８】
主記録設定１０３が図４、機器再生能力情報リスト１０２が図７の場合には、最終的に主エンコード設定１０９は図９のようになる。
【００２９】
上記の処理フローにより、機器再生能力情報リスト１０２が図７の場合、主記録設定１０３が図４では副エンコードが実行され、主記録設定１０３が図８の場合には副エンコードは実行されず、必要な場合のみ副エンコード処理が実行されることになる。
【００３０】
副エンコード設定決定部１１３は、再生不可機器リスト１１２及び主記録設定１０３から、副エンコード設定１１６を決定する。副エンコード設定決定部１１３の処理は、例えば、主記録設定１０３から導出したエンコードパラメータの中で再生不可機器リスト１１２に含まれる再生対象機器において再生可能なものをそのまま使用し、それ以外のエンコードパラメータは再生対象機器の上限のエンコードパラメータを使用するようにすることができる。また、予め、再生対象機器に対応したエンコードパラメータを決めておき、それを使用してもよい。
【００３１】
上述したとおり、本実施の形態により、必要な場合のみ副エンコードが実行され、記録媒体１１０を効率的に使用することができる。
【００３２】
なお、本実施の形態では、副エンコード処理は１段であるが、副エンコード設定決定部１１３で、副エンコード用の記録設定を設けて入力し、主エンコード設定決定部１０４と同様に、再生対象機器が副エンコード用記録設定で再生可能か再生不可か判断し、再生不可の機器に対しては更に別のエンコード設定で副エンコード処理を行うこともできる。
【００３３】
また、主エンコード部１０５と副エンコード部１１７との動作タイミングは同時でも、順番に処理してもよい。
【００３４】
また、機器再生能力情報リスト１０２は、利用者による更新、ネットワーク等の通信による更新等、外部から更新可能としてもよい。
【００３５】
また、主記録設定１０３は、予め機器に登録された複数の記録モードの１つを利用者が選択することで決定される場合も想定される。そこで、機器再生能力情報リスト１０２が更新された時点で、各記録モードに対して、主エンコード設定決定部１１３の処理を行い、予め各記録モードに対する主エンコード設定１０９と、副エンコード設定１１６とを決定しておいてもよい。
【００３６】
また、本実施の形態では、映像コーデックの例を説明したが、音声等の他のメディアのコーデックでも、本実施の形態と同様の方法を適用することができる。例えば、音声コーデックの場合には、記録設定のパラメータとしてビットレート、サンプリングレート、量子化ビット数、チャネル数を使用し、エンコードパラメータとしてコーデック種別、ビットレート、サンプリングレート、量子化ビット数、チャネル数等が使用されると考えれば、本実施の形態と同様の方法が実施可能なことは明らかである。また、映像と音声を組み合わせた映像・音声記録装置のように、複数のメディアを組み合わせた場合にも本実施の形態の方法は適用できる。
【００３７】
また、本実施の形態では、主記録設定１０３のパラメータとして、画像サイズ、フレームレート、ビットレートを例として挙げたが、これに限るものではなく、他の種類のパラメータを使用してもよい。
【００３８】
また、本実施の形態では、主エンコード設定１０９、副エンコード設定１１６のパラメータとして、コーデック種別、プロファイル、画像サイズ、フレームレート、ビットレートを例として挙げたが、これに限るものではなく、他の種類のパラメータを使用してもよい。
【００３９】
また、本実施の形態では、機器再生能力情報リスト１０２のパラメータとして、コーデック種別、プロファイル、最大画像サイズ、最大フレームレート、最大ビットレートを例として挙げたが、これに限るものではなく、他の種類のパラメータを使用してもよい。
【００４０】
また、本実施の形態における処理は、ソフトウェアで実現してもよい。そして、このソフトウェアをソフトウェアダウンロード等により配布してもよい。また、このソフトウェアをＣＤ−ＲＯＭ等の記録媒体に記録して配布してもよい。
【産業上の利用可能性】
【００４１】
以上のように、本発明に係る映像記録装置は、異なる再生機器を対象とした記録において、必要な記録容量を削減できるという効果を有し、映像記録装置等として有用である。
【図面の簡単な説明】
【００４２】
【図１】実施の形態１の映像記録装置の構成を示すブロック図である。
【図２】図１中の主エンコード設定決定部の処理フローを示すフローチャートである。
【図３】従来の映像記録装置の構成を示すブロック図である。
【図４】主記録設定の一例を示す図である。
【図５】主エンコード設定の一例を示す図である。
【図６】副エンコード設定の一例を示す図である。
【図７】機器再生能力情報リストの一例を示す図である。
【図８】主記録設定の他の例を示す図である。
【図９】主エンコード設定の他の例を示す図である。
【図１０】機器再生能力情報リストの他の例を示す図である。
【符号の説明】
【００４３】
１００  映像記録装置
１０１  映像データの入力端子
１０２  機器再生能力情報リスト
１０３  主記録設定
１０４  主エンコード設定決定部
１０５  主エンコード部
１０９  主エンコード設定
１１０  記録媒体
１１１  主ストリーム
１１２  再生不可機器リスト
１１３  副エンコード設定決定部
１１５  副エンコード部制御スイッチ
１１６  副エンコード設定
１１７  副エンコード部
１１８  副ストリーム
【図１】
2010171873.tif 000003
【図２】
2010171873.tif 000004
【図３】
2010171873.tif 000005
【図４】
2010171873.tif 000006
【図５】
2010171873.tif 000007
【図６】
2010171873.tif 000008
【図７】
2010171873.tif 000009
【図８】
2010171873.tif 000010
【図９】
2010171873.tif 000011
【図１０】
2010171873.tif 000012